(57)【要約】【課題】羞明等の評価につながる視覚ダイナミックレンジの計測を容易に行える装置、ないしは簡単に実行可能である視覚ダイナミックレンジの計測方法を提供する。【解決手段】本発明の視覚ダイナミックレンジ計測装置は、表示手段２及び入力手段４を制御する制御手段を備えており、表示手段２は、最明部から最暗部にかけて段階的に明度が変化する視標であるグラデーション視標２０を表示し、入力手段４は、グラデーション視標２０のうち、被験者において最明部と同じ見え方であると想定される部分とそうでない部分の境界である最明部想定境界の入力、及び被験者において最暗部と同じ見え方であると想定される部分とそうでない部分の境界である最暗部想定境界の入力、のうちの少なくとも一方を受け付け、制御手段は、最明部想定境界の位置及び前記最暗部想定境界の位置のうちの少なくとも一方に基づいて、視覚ダイナミックレンジ計測値を算出する。【選択図】図２
2018187235.tif 000002
【特許請求の範囲】
【請求項１】
各種の情報を表示する表示手段と、
被験者による入力を受け付ける入力手段と、
前記表示手段及び前記入力手段を制御する制御手段と、
を備えており、
前記表示手段は、最明部から最暗部にかけて段階的に明度が変化する視標であるグラデーション視標を表示し、
前記入力手段は、前記グラデーション視標のうち、前記被験者において前記最明部と同じ見え方であると想定される部分とそうでない部分の境界である最明部想定境界の入力、及び前記被験者において前記最暗部と同じ見え方であると想定される部分とそうでない部分の境界である最暗部想定境界の入力、のうちの少なくとも一方を受け付け、
前記制御手段は、前記最明部想定境界の位置、及び前記最暗部想定境界の位置のうちの少なくとも一方に基づいて、視覚ダイナミックレンジ計測値、あるいはこれに関連する値である視覚ダイナミックレンジ関連値を算出する
ことを特徴とする視覚ダイナミックレンジ計測装置。
【請求項２】
前記グラデーション視標における明度の変化は、前記最暗部からの道程に対して比例的である
ことを特徴とする請求項１に記載の視覚ダイナミックレンジ計測装置。
【請求項３】
前記最明部は、白色であり、
前記最暗部は、黒色である
ことを特徴とする請求項１又は請求項２に記載の視覚ダイナミックレンジ計測装置。
【請求項４】
前記最明部は、所定色の光の加法混色による白色を呈している
ことを特徴とする請求項３に記載の視覚ダイナミックレンジ計測装置。
【請求項５】
前記表示手段は、前記グラデーション視標の背景部分の明度を変更して表示可能である
ことを特徴とする請求項１ないしは請求項４の何れかに記載の視覚ダイナミックレンジ計測装置。
【請求項６】
前記制御手段は、前記被験者による入力の応答時間を計測する
ことを特徴とする請求項１ないしは請求項５の何れかに記載の視覚ダイナミックレンジ計測装置。
【請求項７】
前記制御手段は、周囲の照度を測定する
ことを特徴とする請求項１ないしは請求項６の何れかに記載の視覚ダイナミックレンジ計測装置。
【請求項８】
前記制御手段は、前記照度の関数である所定の補正式に基づいて、前記視覚ダイナミックレンジ計測値あるいは前記視覚ダイナミックレンジ関連値を補正する
ことを特徴とする請求項７に記載の視覚ダイナミックレンジ計測装置。
【請求項９】
前記制御手段は、前記視覚ダイナミックレンジ計測値あるいは前記視覚ダイナミックレンジ関連値が、所定の範囲内に入っているか否かを判断する
ことを特徴とする請求項１ないしは請求項８の何れかに記載の視覚ダイナミックレンジ計測装置。
【請求項１０】
前記入力手段は、前記最明部想定境界の入力及び前記最暗部想定境界の入力のうちの少なくとも一方を、複数回受け付け、
前記制御手段は、複数の前記最明部想定境界の位置及び複数の前記最暗部想定境界の位置のうちの少なくとも一方の平均値を算出する
ことを特徴とする請求項１ないしは請求項９の何れかに記載の視覚ダイナミックレンジ計測装置。
【請求項１１】
最明部から最暗部にかけて段階的に明度が変化する視標であるグラデーション視標を表示するグラデーション視標表示ステップと、
前記グラデーション視標のうち、前記被験者において前記最明部と同じ見え方であると想定される部分とそうでない部分の境界である最明部想定境界の入力、及び前記被験者において前記最暗部と同じ見え方であると想定される部分とそうでない部分の境界である最暗部想定境界の入力、のうちの少なくとも一方を受け付ける入力受付ステップと、
前記最明部想定境界の位置、及び前記最暗部想定境界の位置のうちの少なくとも一方に基づいて、視覚ダイナミックレンジ計測値、あるいはこれに関連する値である視覚ダイナミックレンジ関連値を算出する視覚ダイナミックレンジ算出ステップと、
を有する
ことを特徴とする視覚ダイナミックレンジ計測方法。
【発明の詳細な説明】
【技術分野】
【０００１】
本発明は、被験者の視覚ダイナミックレンジを計測するための装置、及び被験者の視覚ダイナミックレンジを計測する方法に関する。
【背景技術】
【０００２】
視覚ダイナミックレンジは、一見して変化の分かる明るさの範囲であり、一時に識別可能な光の最大値と最小値の比率であって、暗すぎて見えない夜盲や、明るすぎて見えない昼盲、更には強い光を外部から受けた際に眩しさないし不快感や眼の痛み等を生じる状態である羞明に関係する。羞明は、強烈な光であれば健常者にも起き得るが、眼疾患の患者や眼疾患治療後の元患者において、さほど強い光でなくても感じられることがある。
眩しさを評価するシステムとして、特開２０１６−１４０６１２号公報（下記特許文献１）に記載のものが知られている。このシステムでは、暗室内の被験者が、照明器具等の評価対象光源の眩しさの程度を主観的に評価して、評価結果入力部に対し、複数の眩しさの程度のうちから何れか１つの眩しさの程度を選択して入力する。評価対象光源の照明条件は複数存在して順次切り替えられ、その切り替えの間において、前の照明条件に応じた所定のリセット時間が、評価対象光源を消灯した状態で確保される。
又、車両のドライバーに対し、外部から入射する光に係る適切な遮光を、遮光状態と非遮光状態とで切替可能な遮光手段によって行う遮光装置として、特開２０１３−２５０６５１号公報（下記特許文献２）に記載のものが知られている。この装置では、ドライバーの顔に近赤外光が当てられて顔画像が撮像され、その顔画像から瞳孔径が計測されることで外部から入射する光への反応が把握され、計測された瞳孔径の大きさに基づいて、遮光手段において遮光状態と非遮光状態とに切り替えられる１周期当たりの遮光期間と非遮光期間との割合が、ドライバーが眩しさを感じない所定の割合に変更される。
【先行技術文献】
【特許文献】
【０００３】
【特許文献１】特開２０１６−１４０６１２号公報
【特許文献２】特開２０１３−２５０６５１号公報
【発明の概要】
【発明が解決しようとする課題】
【０００４】
特許文献１のシステムでは、被験者が評価対象光源の眩しさの程度を選択入力するところ、暗室や評価対象光源ないし照明条件変更手段や評価結果入力部が一揃い必要であり、比較的に大掛かりでコストがかかる。又、リセット時間の確保が必要であり、眩しさの評価に時間がかかる。
特許文献２の装置では、瞳孔径の計測により外部から入射する光への反応が把握されるところ、近赤外光照射手段や撮像手段、顔画像解析手段が一揃い必要であり、やはり比較的に大掛かりでコストがかかる。又、瞳孔径は、ドライバー毎の個人差があるうえ、ドライバーの心理状態にも左右されることから、瞳孔径の計測による光への反応の把握は、比較的に不正確になる場合が存在し得るし、異なるドライバー間で光の反応状態の度合の異同を比較し難いものとなっている。
そこで、本発明の主な目的は、羞明等の評価につながる視覚ダイナミックレンジの計測を容易に行える装置、ないしは簡単に実行可能である視覚ダイナミックレンジの計測方法を提供することにある。
【課題を解決するための手段】
【０００５】
上記目的を達成するために、請求項１に記載の発明は、視覚ダイナミックレンジ計測装置において、各種の情報を表示する表示手段と、被験者による入力を受け付ける入力手段と、前記表示手段及び前記入力手段を制御する制御手段と、を備えており、前記表示手段は、最明部から最暗部にかけて段階的に明度が変化する視標であるグラデーション視標を表示し、前記入力手段は、前記グラデーション視標のうち、前記被験者において前記最明部と同じ見え方であると想定される部分とそうでない部分の境界である最明部想定境界の入力、及び前記被験者において前記最暗部と同じ見え方であると想定される部分とそうでない部分の境界である最暗部想定境界の入力、のうちの少なくとも一方を受け付け、前記制御手段は、前記最明部想定境界の位置、及び前記最暗部想定境界の位置のうちの少なくとも一方に基づいて、視覚ダイナミックレンジ計測値、あるいはこれに関連する値である視覚ダイナミックレンジ関連値を算出することを特徴とするものである。
請求項２に記載の発明は、上記発明において、前記グラデーション視標における明度の変化は、前記最暗部からの道程に対して比例的であることを特徴とするものである。
請求項３に記載の発明は、上記発明において、前記最明部は、白色であり、前記最暗部は、黒色であることを特徴とするものである。
請求項４に記載の発明は、上記発明において、前記最明部は、所定色の光の加法混色による白色を呈していることを特徴とするものである。
請求項５に記載の発明は、上記発明において、前記表示手段は、前記グラデーション視標の背景部分の明度を変更して表示可能であることを特徴とするものである。
請求項６に記載の発明は、上記発明において、前記制御手段は、前記被験者による入力の応答時間を計測することを特徴とするものである。
請求項７に記載の発明は、上記発明において、前記制御手段は、周囲の照度を測定することを特徴とするものである。
請求項８に記載の発明は、上記発明において、前記制御手段は、前記照度の関数である所定の補正式に基づいて、前記視覚ダイナミックレンジ計測値あるいは前記視覚ダイナミックレンジ関連値を補正することを特徴とするものである。
請求項９に記載の発明は、上記発明において、前記制御手段は、前記視覚ダイナミックレンジ計測値あるいは前記視覚ダイナミックレンジ関連値が、所定の範囲内に入っているか否かを判断することを特徴とするものである。
請求項１０に記載の発明は、上記発明において、前記入力手段は、前記最明部想定境界の入力及び前記最暗部想定境界の入力のうちの少なくとも一方を、複数回受け付け、前記制御手段は、複数の前記最明部想定境界の位置及び複数の前記最暗部想定境界の位置のうちの少なくとも一方の平均値を算出することを特徴とするものである。
請求項１１に記載の発明は、視覚ダイナミックレンジ計測方法であって、最明部から最暗部にかけて段階的に明度が変化する視標であるグラデーション視標を表示するグラデーション視標表示ステップと、前記グラデーション視標のうち、前記被験者において前記最明部と同じ見え方であると想定される部分とそうでない部分の境界である最明部想定境界の入力、及び前記被験者において前記最暗部と同じ見え方であると想定される部分とそうでない部分の境界である最暗部想定境界の入力、のうちの少なくとも一方を受け付ける入力受付ステップと、前記最明部想定境界の位置、及び前記最暗部想定境界の位置のうちの少なくとも一方に基づいて、視覚ダイナミックレンジ計測値、あるいはこれに関連する値である視覚ダイナミックレンジ関連値を算出する視覚ダイナミックレンジ算出ステップと、を有することを特徴とするものである。
【発明の効果】
【０００６】
本発明の主な効果は、羞明等の評価につながる視覚ダイナミックレンジの計測を容易に行える装置、ないしは簡単に実行可能である視覚ダイナミックレンジの計測方法が提供されることにある。
【図面の簡単な説明】
【０００７】
【図１】本発明に係る視覚ダイナミックレンジ計測装置のブロック図である。
【図２】図１の表示手段の説明図である。
【図３】図１の計測装置の動作例ないし視覚ダイナミックレンジ計測方法に係るフローチャートである。
【発明を実施するための形態】
【０００８】
以下、本発明に係る実施の形態の例が、適宜図面を用いて説明される。尚、本発明の形態は、以下のものに限定されない。
【０００９】
≪構成等≫
図１に示されるように、本発明の視覚ダイナミックレンジ計測装置（計測装置）１は、表示手段２と、入力手段４と、照度センサ８と、カウンタ１０と、記憶手段１１と、これらを制御する制御手段１２と、を備えている。
計測装置１は、これらの手段を備えたタブレット型デバイス（タブレット，スマートフォンを含む）において、制御手段１２が、記憶手段１１に記憶された視覚ダイナミックレンジ計測プログラム（プログラム）１４を実行することにより形成される。
尚、計測装置１は、デスクトップコンピュータやノート型コンピュータ、パッケージ型集積回路等、タブレット型デバイス以外のデバイス（コンピュータ）により形成されても良い。
【００１０】
図２に示されるように、表示手段２は、タブレットのモニタであり、白色から黒色にかけてのグラデーションを内側に含む帯状の長方形であるグラデーション視標２０を横長に表示可能である。
グラデーション視標２０において、縦の各線分が同一の明度となっており、左辺（左端部）が明度の最も高い白色であって（最明部）、右辺（右端部）が明度の最も低い黒色である（最暗部）。グラデーション視標２０における各線分の明度は、最明部と最暗部の間で、左辺からの距離（道程）に比例して低下するように変化する（グラデーションの直線的変化）。例えば、表示手段２における画素の明度が０以上６５５３５以下の数値によって数値が小さいほど明度が低い画素明度指定値として段階的に指定され、グラデーション視標２０の左辺に係る画素列が画素明度指定値６５５３５とされ、グラデーション視標２０の右辺に係る画素列が画素明度指定値０とされ、これらの間の画素列の画素明度指定値が、左辺からの距離に比例して減少するようにされる。グラデーション視標２０において、隣接する線分に係る明度の変化は僅かであり、明度が位置に応じて連続的に変化するとみることもでき、白黒のグラデーションが現出したものとなっている。
概ね、グラデーション視標２０の左部（横方向全体の１／３の長さ）が白色を基調とした明部となり、右部（横方向全体の１／３の長さ）が黒色を基調とした暗部となり、それらの間が灰色を基調とした中間部となる。尚、左半部が明部であり、右半部が暗部であるとして、中間部は観念されなくても良いし、他の要領で明部や暗部、中間部が把握されても良い。
グラデーション視標２０の明部（最明部を含む）における白色は、所定の色光の加法混色により構成される。より具体的には、各画素が赤緑青の３色についてそれぞれ強弱を指定された状態で発光可能な赤発光部，緑発光部，青発光部を有しており、赤発光部と緑発光部の加法混色により発生する波長５６０ｎｍ付近を強度分布のピークとする黄色と、青発光部により発生する波長４４０ｎｍ付近を強度分布のピークとする青色が加法混色されることで、グラデーション視標２０の明部における白色が発光される。又、明部や中間部、暗部の灰色も、同様に加法混色により構成される。
尚、グラデーション視標２０は、縦長に表示されても良いし、正方形状であっても良いし、リングあるいは多角形に沿った帯状であっても良い。又、グラデーション視標２０におけるグラデーションは、曲線的に変化するものであっても良く、例えば最明部からの道程の二乗に比例して線分の明度が低下するものであっても良いし、最明部からの道程の１／２乗に比例して線分の明度が低下するものであっても良いし、最明部からの道程の対数に比例して線分の明度が低下するものであっても良い。
【００１１】
又、グラデーション視標２０の上方において、タイトル２２と操作案内メッセージ２４が表示可能である。
タイトル２２は、「ダイナミックレンジテスト」というものである。
操作案内メッセージ２４は、最明部と同じ見え方であると想定される部分（最明部想定部）とそうでない部分の境界（最明部想定境界）を入力するように促す「真っ白に見えるギリギリのところをタップしてください。」というものか、あるいは最暗部と同じ見え方であると想定される部分（最暗部想定部）とそうでない部分の境界（最暗部想定境界）を入力するように促す「真っ黒に見えるギリギリのところをタップしてください。」であり、状況に応じて選択的に表示され、あるいは非表示となる。尚、操作案内メッセージ２４として、他の内容のものが表示されても良い。
【００１２】
更に、グラデーション視標２０の下方において、入力段階案内メッセージ２６と戻るボタン２８が表示可能である。
入力段階案内メッセージ２６は、グラデーション視標２０に対する所定上限までの複数回の入力（最明部想定境界の入力と最暗部想定境界の入力の組）のうち、現在どの段階となっているかを数字で示すものであって、現在の段階数と、上限の数（ここでは１０であるが１を含む他の数でも良い）が含まれる。
戻るボタン２８は、「１つ戻る」との記載が矩形で囲まれたものである。
尚、タイトル２２や操作案内メッセージ２４、入力段階案内メッセージ２６、戻るボタン２８等の表示のうちの少なくとも何れかは、省略されても良い。又、他の情報等が表示されても良い。
【００１３】
そして、表示手段２における、上記の表示要素以外の部分は、背景部分３０となっている。
背景部分３０は、輝度を指定して白色、灰色、あるいは黒色に変更可能であり、任意の明度に変化可能である。
尚、上記の表示要素は、背景部分３０の輝度変更（変色）に対応するため、白色（あるいはグラデーション視標２０の内容）に黒色の縁取りが施されたものとされても良い。又、上記の表示要素（グラデーション視標２０を除く）は、背景部分３０の輝度変更（変色）に応じ、その色と異なる色に変色されても良い。
【００１４】
入力手段４は、表示を妨げない状態で表示手段２をカバーするタッチセンサで構成される。
入力手段４は、表示されたグラデーション視標２０のうちの、何れかの線分に対する入力を検知して、その線分（の位置）に対応する情報（線分対応情報４０）を制御手段１２に伝える。線分に対する入力は、表示された線分への接触により行われる。線分対応情報４０としては、グラデーション視標２０の右辺から線分までの距離（画素数）や、所定の原点からみた線分の座標値、線分の明度、あるいはこれらの組合せが例示される。
入力手段４は、グラデーション視標２０における最明部想定境界に対応する最明部想定境界線分対応情報４０ａを受付可能である。又、入力手段４は、グラデーション視標２０における最暗部想定境界に対応する最暗部想定境界線分対応情報４０ｂを受付可能である。尚、最明部想定境界線分対応情報４０ａ，最暗部想定境界線分対応情報４０ｂのうちの何れか一方が省略されても良い。
入力手段４は、グラデーション視標２０に対する所定上限までの複数回の入力毎に、最明部想定境界線分対応情報４０ａ，最暗部想定境界線分対応情報４０ｂの組に関する入力を受け付ける。尚、グラデーション視標２０に対する複数回の入力の一部において表示される、グラデーション視標２０の形状や、グラデーションの変化の態様が、他の回とは異なるようにされても良い。この場合、他の回と異なる表示を行う回の順番は、予め決定されていても良いし、ランダムに決定されても良い。グラデーション視標２０の形状やグラデーションの変化の態様は、３種類以上存在しても良い。又、被験者の惰性による回答を判別して信頼度を向上する等の目的で、グラデーション視標２０の形状やグラデーションの変化の態様の種類毎に結果をまとめ、それらの結果が互いに一定程度以上かけはなれたものである場合に、所定の形状や変化の態様の回答が排除されても良いし、入力がやり直されても良い。
【００１５】
又、入力手段４は、表示手段２に表示された各種のボタンに対する接触を検知し、そのボタンへの入力があったものとして制御手段１２に伝える。例えば、入力手段４は、表示された戻るボタン２８に相当する部分において入力を受けると、戻るボタン２８への入力があったものとして制御手段１２に伝える。
尚、入力手段４における入力は、被験者の指による接触に基づくものであっても良いし、被験者が握ったデジタイザーペンによるものであっても良いし、指やデジタイザーペンの近接に基づくものであっても良い。又、入力手段４は、マウスやスティック等のポインティングデバイスであっても良い。
【００１６】
照度センサ８は、フォトダイオードで構成され、計測装置１（グラデーション視標２０）の周囲の照度を測定可能である。
測定された照度に対応する情報である照度情報４２は、制御手段１２に送信される。
照度情報４２は、初回における最明部想定境界線分対応情報４０ａの入力受付時に取得される。
尚、照度情報４２は、各回毎や、最明部想定境界の入力若しくは最暗部想定境界の入力毎といった、複数の入力毎に、複数取得されても良い。
【００１７】
カウンタ１０は、２つの時点間の時間を計測可能であり、先の時点からカウントし始めて後の時点でカウントし終わるものである。
カウンタ１０は、制御手段１２と一体であっても良い。
カウンタ１０は、グラデーション視標２０に対する入力受け付けの開始時点から、その回の入力完了までの時間である応答時間を計測可能である。
計測された応答時間に対応する応答時間情報４４は、制御手段１２に送信される。
【００１８】
記憶手段１１は、メモリで構成され、プログラム１４に加えて、各回毎のグラデーション視標２０の線分対応情報４０（一対の最明部想定境界線分対応情報４０ａ，最暗部想定境界線分対応情報４０ｂ）や、照度情報４２、各回毎の応答時間情報４４、視覚ダイナミックレンジ計測値情報５０（最明部想定部平均情報５０ａ，最暗部想定部平均情報５０ｂ）、補正式情報５２、最明部想定部範囲情報５４ａ，最暗部想定部範囲情報５４ｂといった各種の情報が記憶される。尚、各種の情報は、例えば視覚ダイナミックレンジ計測値情報５０が視覚ダイナミックレンジ計測値そのものであるといったように、そのままの状態を示すものとされても良い。又、記憶手段１１において、そのままの状態に対応するものの異なる形式で記憶されていても良い。
線分対応情報４０は、入力の状況（何回目であるか，又最明部境界線分対応情報４０ａであるか若しくは最暗部境界線分対応情報４０ｂであるか）に関連付けて、それぞれ記憶される。
又、応答時間情報４４も、同様に入力の状況に関連付けて、それぞれ記憶される。
更に、線分対応情報４０に応じて計測された視覚ダイナミックレンジ計測値に対応する視覚ダイナミックレンジ計測値情報５０が記憶される。視覚ダイナミックレンジ計測値情報５０は、複数回取得された最明部想定境界線分対応情報４０ａが示す最明部想定部の大きさの平均値を演算して得られる最明部想定部平均情報５０ａと、複数回取得された最暗部想定境界線分対応情報４０ｂが示す最暗部想定部の大きさの平均値を演算して得られる最暗部想定部平均情報５０ｂと、に基づいて計測される。
【００１９】
又更に、照度情報４２が示す照度に応じて、視覚ダイナミックレンジ計測値情報５０に係る視覚ダイナミックレンジ計測値を、所定の基準照度における換算値に換算するための補正式に対応する補正式情報５２が記憶される。ここでは、補正式は、次の式（１）であるが、他の式であっても良い。
ｙ＝ａｘ＋ｂ  ・・（１）
ｙ：最明部想定部又は最暗部想定部の全体に対する割合の換算後の値
ａ：補正係数（ｙが最明部想定部の場合は負数，最暗部想定部の場合は正数）
ｘ：最明部想定部又は最暗部想定部の全体に対する割合の換算前の値
ｂ：補正定数
加えて、記憶手段１１には、最明部想定境界線分対応情報４０ａが示す最明部想定部の大きさ（最明部想定境界線分の位置）に係る所定の範囲である最明部想定部範囲に対応する最明部想定部範囲情報５４ａと、最暗部想定境界線分対応情報４０ｂが示す最暗部想定部の大きさ（最暗部想定境界線分の位置）に係る所定の範囲である最暗部想定部範囲に対応する最暗部想定部範囲情報５４ｂと、が記憶されている。最明部想定部範囲情報５４ａは、予め計測された健常者における最明部想定部の大きさ（最明部想定教会の位置）の範囲に関する情報であり、最暗部想定部範囲情報５４ｂは、予め計測された健常者における最暗部想定部の大きさの範囲に関する情報である。
尚、メモリは、フラッシュメモリ（ソリッドステートドライブを含む）、ハードディスクドライブ、あるいはこれらの組合せ等であっても良い。又、照度情報４２は、何回目の入力に対応したものであるかや、明部想定境界線分対応情報４０ａ若しくは暗部想定境界線分対応情報４０ｂのうちの何れの入力時のものかといった事項と対応付けて記憶されても良い。更に、最明部想定部範囲情報５４ａは、健常者における最明部想定部の大きさから解析により定められたものであっても良く、最暗部想定部範囲情報５４ｂについても同様である。
【００２０】
制御手段１２は、中央処理装置（ＣＰＵ）で構成される。
制御手段１２は、受信した各種の情報について、演算したり、記憶手段１１に記憶したりする。制御手段１２は、記憶手段１１に記憶した情報を指定して読み出し（受信）することも可能である。
尚、制御手段１２は、マイクロプロセッサ（ＭＰＵ）や、マイクロコンピュータ（マイコン）等であっても良い。又、制御手段１２は、ＣＰＵに代えて、あるいはＣＰＵと共に、表示手段２や入力手段４といった各種の手段の少なくとも何れかに、協調制御可能に分散して設けられていても良い。
【００２１】
≪動作ないし計測方法等≫
次いで、計測装置１の動作例、ないしは計測装置１によって実行される視覚ダイナミックレンジ計測方法（計測方法）が、適宜図３に基づいて説明される。
尚、処理のステップは、適宜Ｓと省略される。
【００２２】
制御手段１２は、アイコンのタップに基づくプログラム１４の起動により、まず、照度センサ８に照度情報４２を送信させ、これを記憶手段１１に記憶させる（Ｓ１）。
又、制御手段１２は、ループカウンタｉ＝１（初期値）にセットする（Ｓ２）。ループカウンタｉは、最明部想定境界線分対応情報４０ａ，最暗部想定境界線分対応情報４０ｂの組を複数回取得すべく、所定の処理を複数回繰り返す（ループ処理をする）ためのカウンタであり、ここでは１０回繰り返すためにｉが１から１０まで１ずつ増加するものである。
【００２３】
次いで、制御手段１２は、ｉ回目（１回目）に係る図２のような入力受付画面を、表示手段２に表示させる（Ｓ３，グラデーション視標表示ステップ）。入力受付画面には、グラデーション視標２０が含まれる。尚、グラデーション視標２０の表示処理は、ループ処理に入れずループ処理の前に行われても良い。この場合、各回で同じグラデーション視標２０が用いられる。又、グラデーション視標２０の表示処理は、記憶手段１１に予め記憶された１種類以上のグラデーション視標２０のパターンに基づいて行われても良いし、グラデーション視標２０のパターンを都度演算することで行われても良いし、予め記憶されたパターンを演算で修正する等これらの組合せによって行われても良い。
制御手段１２は、入力受付画面において、まず「真っ白に見えるギリギリのところをタップしてください。」の操作案内メッセージ２４を表示させて、グラデーション視標２０に対する最明部想定境界の入力の受付を指令する（Ｓ４，入力受付ステップの一部）。被験者は、グラデーション視標２０に対する入力をタップにより行い、制御手段１２は、線分対応情報４０（最明部想定境界線分対応情報４０ａ）を入力手段４から得て、１回目に係るものとして記憶手段１１に記憶させる。
制御手段１２は、入力受付画面の表示開始時（最明部想定境界の入力の受付開始時）に、カウンタ１０を用いた応答時間の計測を開始する。
次いで、制御手段１２は、操作案内メッセージ２４を「真っ黒に見えるギリギリのところをタップしてください。」と変えさせ、グラデーション視標２０に対する最明部想定境界の入力の受付を指令する（Ｓ５，入力受付ステップの一部）。被験者は、同様に入力を行い、制御手段１２は、線分対応情報４０（最暗部想定境界線分対応情報４０ｂ）を入力手段４から得て、１回目に係るものとして記憶手段１１に記憶させる。尚、ｉ＝１（１回目）に係るＳ５の入力がなされた時点で、カウンタ１０を用いた応答時間の計測を終了し、計測された応答時間に係る応答時間情報４４を記憶手段１１に記憶させる。
続いて、制御手段１２は、Ｓ６においてループカウンタｉに１を加えてＳ２に戻り、ｉ＝１０の処理が終わるまで、Ｓ２〜Ｓ６を繰り返す。制御手段１２は、それぞれのＳ６において、入力段階案内メッセージ２６を、ループカウンタｉに基づいて書き換えさせる。尚、制御手段１２は、戻るボタン２８への入力を把握すると、今回の入力情報を消去あるいは上書き可能としたうえで、ｉを１減らして（ｉ＝１であればそのままで）、Ｓ２に戻り処理を続ける。
尚、Ｓ４，Ｓ５は、逆の順序で行われても良く、Ｓ４，Ｓ５は、入力毎に順序を入れ替えて実行されても良い。又、Ｓ４，Ｓ５の何れか一方が省略されても良い。更に、照度情報４２は、所定の入力時に１度取得されても良いし、各入力毎といったように複数回取得されても良い。応答時間の取得は、１度のみとされたり、１回置きとされたりしても良い。又更に、制御手段１２は、応答時間が所定値以上であると、その入力をやり直させるように処理しても良い。加えて、制御手段１２は、回毎あるいは入力毎に、背景部分３０あるいはグラデーション視標２０の周辺部の色を、ランダムに、あるいは照度に応じて変更しても良いし、グラデーション視標２０における色変化の態様を、直線的変化から曲線的変化としたり、曲線的変化から別の曲線的変化としたりするといったように変更しても良い。
【００２４】
制御手段１２は、最明部想定境界線分対応情報４０ａ，最暗部想定境界線分対応情報４０ｂの組に係る１０回の入力を取得すると、前者（１０回分）が示す最明部想定部の大きさの平均値を演算して最明部想定部平均情報５０ａを取得し、記憶手段１１に記憶させると共に、後者（１０回分）が示す最暗部想定部の大きさの平均値を演算して最暗部想定部平均情報５０ｂを取得し、記憶手段１１に記憶させる（Ｓ７）。
尚、制御手段１２は、１０回のうちの最大値と最小値を除外して、８回分の大きさの平均値を演算しても良いし、更に２番目に大きい値と２番目に小さい値を除外して、６回分の大きさの平均値を演算しても良い。又、制御手段１２は、応答時間が最大値あるいは最小値であったもの等を除外して平均値を演算しても良いし、応答時間が所定値（上述の所定値と同じでも異なっても良く，本明細書において同様）以上であるものを除外して平均値を演算しても良い。更に、制御手段１２は、入力毎の照度や応答時間を加味した加重平均により、最明部想定部平均情報５０ａ，最暗部想定部平均情報５０ｂを得ても良い。
【００２５】
又、制御手段１２は、得られた最明部想定部平均情報５０ａ，最暗部想定部平均情報５０ｂに係る最明部想定部の大きさ，最暗部想定部の大きさに対して、補正式情報５２が示す補正式による補正を行い、記憶手段１１において記憶し直させる（Ｓ８）。
尚、制御手段１２は、最明部想定境界線分対応情報４０ａ，最暗部想定境界線分対応情報４０ｂに対して補正を施した後で、最明部想定部平均情報５０ａ，最暗部想定部平均情報５０ｂを演算しても良い。又、Ｓ１やＳ８は、省略されても良い。更に、補正式情報５２は、プログラム１４に組み込まれていても良く、他の情報についても同様である。加えて、記憶手段１１において、補正前の最明部想定部平均情報５０ａ，最暗部想定部平均情報５０ｂが残されていても良い。
【００２６】
そして、制御手段１２は、補正された最明部想定部平均情報５０ａを、最明部想定部範囲情報５４ａと比較し、後者が示す範囲内に前者が示す最明部想定部の大きさが入っているか否かを判断する。制御手段１２は、入っていないと判断すると、視覚ダイナミックレンジが明部において健常でない可能性が存在する旨判定し（明部要注意情報を発生させ）、記憶手段１１に記憶させる（Ｓ９上段）。
又、制御手段１２は、同様に、補正された最暗部想定部範囲情報５４ｂが示す範囲内に最暗部想定部平均情報５０ｂに係る最暗部想定部の大きさが入っているか否かを判断し、入っていないと判断すると、視覚ダイナミックレンジが暗部において健常でない可能性が存在する旨判定し（暗部要注意情報を発生させ）、記憶手段１１に記憶させる（Ｓ９下段）。
更に、制御手段１２は、補正された最明部想定部平均情報５０ａ，最暗部想定部平均情報５０ｂの間に挟まれた部分、即ち最明部想定境界（１０回の平均位置）と最暗部想定境界（１０回の平均位置）の間の中間部分における大きさに基づいて、視覚ダイナミックレンジ計測値を算出し、これに対応する視覚ダイナミックレンジ計測値情報５０を記憶手段１１に記憶させる（Ｓ１０，視覚ダイナミックレンジ算出ステップ）。視覚ダイナミックレンジ計測値は、最明部想定部境界位置に対応する明度を最暗部想定部境界位置に対応する明度で除した値であっても良いし、その値に応じて換算された相対的な値であっても良いし、その他の式により算出されたものであっても良い。
最明部想定部平均情報５０ａに係る最明部想定部の大きさの平均（最明部想定境界の位置の平均）や、最暗部想定部平均情報５０ｂに係る最暗部想定部の大きさの平均（最暗部想定境界の位置の平均）等は、視覚ダイナミックレンジ計測値に関連する値である視覚ダイナミックレンジ関連値である。
尚、Ｓ９，Ｓ１０は順序を入れ替えて実行されても良く、Ｓ９は省略されても良い。又、制御手段１２は、視覚ダイナミックレンジ計測値が所定の範囲（健常者の範囲等）内に入っているか否かを判断しても良い。
【００２７】
続いて、制御手段１２は、計測結果の表示を表示手段２に行わせる（Ｓ１１）。
即ち、視覚ダイナミックレンジ計測値、及び明部要注意情報や暗部要注意情報が存在する場合にはその旨が表示される。
尚、これらのうちの少なくとも何れかが表示されなくても良い。
又、明部要注意情報や暗部要注意情報の不存在時に、その旨が表示されても良い。
更に、視覚ダイナミックレンジ計測値そのものに代えて、あるいはこれと共に、視覚ダイナミックレンジ計測値情報５０や最明部想定部平均情報５０ａ，最暗部想定部平均情報５０ｂ等に基づいて段階的に決定される指標（レベル１やＡランク等）やメッセージ（眩しさを感じやすいかもしれません）等が表示されても良い。
又更に、最明部想定部平均情報５０ａ，最暗部想定部平均情報５０ｂや、照度情報４２、応答時間情報４４といった、他の情報が表示されても良い。
加えて、制御手段１２は、表示手段２において計測結果を表示させず、計測装置１と通信可能に接続された試験者（計測実施者）用のデバイス（例えば無線通信可能な別のタブレット型デバイス）に計測結果を送信しても良い。試験者用のデバイスに計測結果が表示されれば、試験者は、被験者に対し、直接的な結果を示すことなく、結果に基づき被験者の状況等に合わせた説明を行うことができる。この場合、計測装置１が第１の装置、試験者用のデバイスが第２の装置となり、これらの装置によって、視覚ダイナミックレンジ計測システムが構成される。
【００２８】
試験者は、計測結果から、被験者に係る羞明等の有無ないし程度を評価することができる。
例えば、通常は問題とならない明るさに対して羞明を来たし、且つ暗所では夜盲を来たすような被験者に係る計測においては、視覚ダイナミックレンジが狭い結果が得られる傾向にあり、羞明や夜盲の程度が激しいほど視覚ダイナミックレンジがより狭くなる結果が得られる傾向にある。
又、羞明が認められるものの夜盲が認められない被験者に係る計測においては、視覚ダイナミックレンジが明るい側にシフトしている結果が得られる傾向にある。
更に、試験者は、視覚ダイナミックレンジ計測値の大きさ等に基づいて、被験者における、遮光眼鏡（サングラス等）の必要性の有無や、遮光眼鏡における遮光（透過率）の程度を把握することができる。
加えて、試験者は、遮光眼鏡を装用した状態の被験者に対して視覚ダイナミックレンジ計測を行うことで、遮光眼鏡の効果を確かめることができる。この場合、試験者は、遮光眼鏡の非装用時の測定結果と比較することができる。
尚、最明部想定境界線分対応情報４０ａないし最明部想定部平均情報５０ａのみ取得された場合には、制御手段１２は、視覚ダイナミックレンジ計測値の関連情報として、視覚ダイナミックレンジ明部側情報を取得することができる。制御手段１２は、視覚ダイナミックレンジ明部側情報によっても、明部要注意情報について判断することができるし、これらの情報の少なくとも何れかを表示手段２等に表示させて、羞明に関する評価に供することができる。
他方、最暗部想定境界線分対応情報４０ｂないし最暗部想定部平均情報５０ｂのみ取得された場合においても、同様に視覚ダイナミックレンジ暗部側情報を取得することができ、暗部要注意情報の判断ないし発出や、夜盲の評価への提供を行うことができる。
【００２９】
≪効果等≫
以上の計測装置１は、各種の情報を表示する表示手段２と、被験者による入力を受け付ける入力手段４と、表示手段２及び入力手段４を制御する制御手段１２と、を備えており、表示手段２は、最明部から最暗部にかけて段階的に明度が変化する視標であるグラデーション視標２０を表示し、入力手段４は、グラデーション視標２０のうち、被験者において最明部と同じ見え方であると想定される部分とそうでない部分の境界である最明部想定境界の入力、及び被験者において最暗部と同じ見え方であると想定される部分とそうでない部分の境界である最暗部想定境界の入力、のうちの少なくとも一方を受け付け、制御手段１２は、最明部想定境界の位置（最明部想定境界線分対応情報４０ａ）、及び前記最暗部想定境界の位置（最暗部想定境界線分対応情報４０ｂ）のうちの少なくとも一方に基づいて、視覚ダイナミックレンジ計測値（視覚ダイナミックレンジ計測値情報５０）、あるいはこれに関連する値である視覚ダイナミックレンジ関連値（最明部想定部平均情報５０ａ，最暗部想定部平均情報５０ｂ等）を算出する。
よって、被験者がグラデーション視標２０に対する入力を行うだけで、羞明等の評価につながる視覚ダイナミックレンジの定量的な計測が簡単に行える。試験者や被験者は、視覚ダイナミックレンジ計測値の把握により、遮光眼鏡の必要性や種類を客観的に判断することができ、又遮光眼鏡の効果判定を定量的に行うことができる。更に、試験者や被験者は、夜盲等に係る評価を行うことができ、被験者に対して、夜間や暗所では注意を払い、できるだけ灯火や照明を確保するといった指導において参酌することができる。加えて、羞明や夜盲等に関する定量的なデータの蓄積が可能となり、試験者は、計測装置１を、眼疾患ないし羞明や夜盲等のメカニズムの解析に用いることができる。
【００３０】
又、グラデーション視標２０における明度の変化は、最暗部からの道程に対して比例的である。よって、グラデーション視標２０が分かり易いものとなり、これに対する入力やその分析が容易である。
更に、最明部は、白色であり、最暗部は、黒色である。よって、明暗がシンプルに表現され、処理が容易である。
又更に、最明部は、所定色の光の加法混色による白色を呈している。よって、グラデーション視標２０が紙に印刷されている場合のように、最明部の反射光を視認する場合に比べて、最明部が一層はっきりと提示される。
又、表示手段２は、グラデーション視標２０の背景部分３０の明度を変更して表示可能である。よって、背景部分３０の明度のバリエーションが複数存在し、複数の明度で表示した結果を併用することで、視覚ダイナミックレンジの計測の正確性がより一層良好になる。
加えて、制御手段１２（カウンタ１０）は、被験者による入力の応答時間（応答時間情報４４）を計測する。よって、視覚ダイナミックレンジの計測において、入力状況が加味され、より一層正確な計測が行われる。
又、制御手段１２は、計測装置１（グラデーション視標２０）の周囲の照度（照度情報４２）を測定する。よって、視覚ダイナミックレンジの計測において、周囲の照度が加味され、より一層正確な計測が行われるし、暗室を用意する必要がなく測定が容易である。
更に、制御手段１２は、照度の関数である所定の補正式（補正式情報５２）に基づいて、視覚ダイナミックレンジ計測値あるいは視覚ダイナミックレンジ関連値を補正する。よって、周囲の照度が自動でより具体的に加味される。
又更に、制御手段１２は、視覚ダイナミックレンジ計測値あるいは視覚ダイナミックレンジ関連値が、所定の範囲（最明部想定部範囲情報５４ａ，最暗部想定部範囲情報５４ｂ）内に入っているか否かを判断する。よって、所定の範囲について、健常者を被験者とした複数の計測値に基づいて定めておけば、今回の視覚ダイナミックレンジ測定値が、複数の健常者が入る範囲に入っているか否かを自動的に判断することができる。
加えて、入力手段４は、最明部想定境界の入力及び最暗部想定境界の入力のうちの少なくとも一方を、複数回受け付け、制御手段１２は、複数の最明部想定境界の位置及び複数の最暗部想定境界の位置のうちの少なくとも一方の平均値（最明部想定部平均情報５０ａ，最暗部想定部平均情報５０ｂ）を算出する。よって、視覚ダイナミックレンジの計測が、複数のサンプルの取得ないし平準化により、一層正確に行われる。
【００３１】
他方、以上の計測方法では、最明部から最暗部にかけて段階的に明度が変化する視標であるグラデーション視標２０を表示するグラデーション視標表示ステップＳ３と、グラデーション視標２０のうち、被験者において最明部と同じ見え方であると想定される部分とそうでない部分の境界である最明部想定境界の入力、及び被験者において前記最暗部と同じ見え方であると想定される部分とそうでない部分の境界である最暗部想定境界の入力、のうちの少なくとも一方を受け付ける入力受付ステップＳ５，Ｓ６と、前記最明部想定境界の位置、及び前記最暗部想定境界の位置のうちの少なくとも一方に基づいて、視覚ダイナミックレンジ計測値、あるいはこれに関連する値である視覚ダイナミックレンジ関連値を算出する視覚ダイナミックレンジ算出ステップＳ１０と、を有する。
よって、被験者によるグラデーション視標２０への入力によって、羞明等の評価につながる視覚ダイナミックレンジの定量的な計測が簡単に行え、被験者に係る遮光眼鏡や羞明等に関する分析が容易に行われる。
【符号の説明】
【００３２】
１・・（視覚ダイナミックレンジ）計測装置、２・・表示手段、４・・入力手段、１０・・カウンタ、１２・・制御手段、２０・・グラデーション視標、３０・・背景部分、４０ａ・・最明部想定境界線分対応情報、４０ｂ・・最暗部想定境界線分対応情報、４２・・照度情報、４４・・応答時間情報、５０・・視覚ダイナミックレンジ計測値情報、５０ａ・・最明部想定部平均情報、５０ｂ・・最暗部想定部平均情報、５２・・補正式情報、５４ａ・・最明部想定部範囲情報、５４ｂ・・最暗部想定部範囲情報、Ｓ３・・グラデーション視標表示ステップ、Ｓ５，Ｓ６・・入力受付ステップ、Ｓ１０・・視覚ダイナミックレンジ算出ステップ。
【図１】
2018187235.tif 000003
【図２】
2018187235.tif 000004
【図３】
2018187235.tif 000005